(57)【特許請求の範囲】
【請求項１】
払出口から払い出されたメダルを受ける受け皿と、
前記払出口の背面側に配置されて前記払出口と接続され、前記払出口へとメダルを案内する案内通路と、
前記払出口と前記案内通路との境界部分において、前記払出口の内面のうち下側の内面である払出口下内面が、前記案内通路の内面のうち下側の内面である案内通路下内面よりも下方に設けられていることにより、前記払出口下内面と前記案内通路下内面との間に形成された第１段差部と、
前記境界部分において、前記払出口の内面のうち右側の内面である払出口右内面が、前記案内通路の内面のうち右側の内面である案内通路右内面よりも右方に設けられ、かつ、前記払出口の内面のうち左側の内面である払出口左内面が、前記案内通路の内面のうち左側の内面である案内通路左内面よりも左方に設けられていることにより、前記払出口右内面と前記案内通路右内面との間及び前記払出口左内面と前記案内通路左内面との間に形成された第２段差部と、
を備えたことを特徴とする遊技機。
【発明の詳細な説明】
【技術分野】
【０００１】
本発明は、遊技場に設置されるスロットマシンなどの遊技機に関するものである。
【背景技術】
【０００２】
遊技場に設置される遊技機としてスロットマシンが広く知られている。スロットマシンでは、メダルを投入して遊技が行われ、遊技の結果に応じてメダルが払い出される。メダルは、案内通路や払出口を介して受け皿に払い出される（下記特許文献１参照）。
【先行技術文献】
【特許文献】
【０００３】
【特許文献１】特開２０１７−１４４０８３号公報
【発明の概要】
【発明が解決しようとする課題】
【０００４】
しかしながら、上記特許文献記載の遊技機では、払出口にメダルが引っ掛かってしまう場合があった。
【０００５】
本発明は、上記課題を鑑みてなされたものであり、メダルのスムーズな払い出しが可能な遊技機を提供することを目的としている。
【課題を解決するための手段】
【０００６】
上記課題を解決するために本発明の遊技機は、
払出口から払い出されたメダルを受ける受け皿と、
前記払出口へとメダルを案内する案内通路と、を備え、
前記払出口の内面のうち下側の内面である払出口下内面が、前記案内通路の内面のうち下側の内面である案内通路下内面よりも下方に設けられていることにより、前記払出口下内面と前記案内通路下内面との間に、第１段差部が形成されており、
前記払出口の内面のうち右側の内面である払出口右内面が、前記案内通路の内面のうち右側の内面である案内通路右内面よりも右方に設けられ、かつ、前記払出口の内面のうち左側の内面である払出口左内面が、前記案内通路の内面のうち左側の内面である案内通路左内面よりも左方に設けられていることにより、前記払出口右内面と前記案内通路右内面との間及び前記払出口左内面と前記案内通路左内面との間に、第２段差部が形成されている、ことを特徴としている。
【０００７】
前記第１段差部の段差の大きさは、前記第２段差部の段差の大きさよりも大きい、ことが好ましい。
【０００８】
前記案内通路は、通路本体と前記払出口に接続される接続開口とを備え、
前記接続開口の内面のうち、下側の内面が前記案内通路下内面であり、右側の内面が前記案内通路右内面であり、左側の内面が前記案内通路左内面であり、
前記案内通路下内面が、前記通路本体の内面のうち下側の内面である通路本体下内面よりも下方に設けられていることにより、前記案内通路下内面と前記通路本体下内面との間に、第３段差部が形成されており、
前記案内通路右内面が、前記通路本体の内面のうち右側の内面である通路本体右内面よりも右側に設けられ、かつ、前記案内通路左内面が、前記通路本体の内面のうち左側の内面である通路本体左内面よりも左側に設けられていることにより、前記案内通路右内面と前記通路本体右内面との間及び前記案内通路左内面と前記通路本体左内面との間に、第４段差部が形成されている、ものでもよい。
【０００９】
前記第３段差部の段差の大きさは、前記第４段差部の段差の大きさよりも大きい、ことが好ましい。
【発明の効果】
【００１０】
本発明によれば、払出口の底部が案内通路の底部よりも下方に設けられ、かつ、払出口の内側部が案内通路の内側部よりも外側に設けられているので、メダルのスムーズな払い出しが可能である。
【図面の簡単な説明】
【００１１】
【図１】スロットマシンの外観図である。
【図２】受け皿及びキャンセルシュートの斜視図である。
【図３】受け皿とキャンセルシュートと分離した状態と示す説明図である。
【図４】キャンセルシュートを分解した状態を示す説明図である。
【図５】払出口を正面から観察した状態を示す説明図である。
【図６】キャンセルシュートを分解した状態を示す説明図である。
【図７】払出口を正面から観察した状態を示す説明図である。
【図８】受け皿の底面の傾斜を表す説明図である。
【図９】受け皿の底面の傾斜を表す説明図である。
【図１０】前面扉の下面と収納箱の下面との隙間を示す説明図である。
【図１１】図９において２点鎖線で囲んだ領域の拡大図である。
【図１２】収納箱内部の説明図である。
【図１３】スライドレールとストッパの説明図である。
【図１４】スライドレールとストッパの説明図である。
【図１５】溝部の断面図である。
【発明を実施するための形態】
【００１２】
図１に示すように、スロットマシン（遊技機）１０は、収納箱１１と、前面扉１２とを備えている。収納箱１１には、複数（例えば、３つ）のリールがユニット化されたリールユニット（図示せず）や、メダルの払い出しを行うホッパ装置１４（図１２−１４参照）など各種の部品が収納されている。前面扉１２は、上扉１２ａと下扉１２ｂとに分割されており、これら上扉１２ａ及び下扉１２ｂはそれぞれ収納箱１１に軸着され、収納箱１１の前面側に設けられた開口部を開口させる開き位置と開口部を閉じる閉じ位置との間で開閉自在に支持されている。
【００１３】
上扉１２ａには、その前面に、各種画像を表示する液晶ディスプレイ１５、及び、リールを視認させるための透明窓１６が設けられている。リールの外周面には複数種類の図柄が配列されており、リールが停止した状態では、透明窓１６を通して１つのリールにつき３個の図柄が表示される。
【００１４】
下扉１２ｂには、メダルを投入するメダル投入口２２、クレジットされたメダルをベットする際に操作されるベットボタン２３、遊技を開始する際に操作されるスタートレバー２４、回転しているリールを停止させるためのストップボタン２６ａ〜２６ｃ、メダルを受ける受け皿２７、クレジットされたメダルを清算するための清算ボタン２８が設けられている。
【００１５】
メダル投入口２２の下方には、セレクタ装置（図示せず）が設けられている。セレクタ装置は、メダル投入口２２から投入されたメダルを選別するために設けられ、例えば、投入されたメダルが正規のメダルではない場合やメダルの投入タイミングが適切でないなどの場合に、投入されたメダルを後述するキャンセルシュート４０（案内通路）（図２−４参照）へ向けて落下させる。キャンセルシュート４０は、受け皿２７に接続されており、セレクタ装置からキャンセルシュート４０へ向けて落下されたメダルは、上面入口４２ａ（図２−４参照）からキャンセルシュート４０に投入され、キャンセルシュート４０を介して受け皿２７に払い出される（払い戻される）。また、キャンセルシュート４０には、前述の上面入口４２ａに加えて、ホッパ装置１４から払い出されたメダルが投入される背面入口４２ｂ（図４参照）が設けられている。そして、小役が入賞した場合やクレジットされたメダルが存在する状態で精算ボタン２８が押下された場合などには、ホッパ装置１４から払い出されたメダルが背面入口４２ｂからキャンセルシュート４０に投入され、キャンセルシュート４０を介して受け皿２７に払い出される。
【００１６】
セレクタ装置を通過したメダルは、遊技に使用可能なメダルとしてカウントされ、スロットマシン１０では、セレクタ装置を通過したメダルをベットして遊技を行うことができる。なお、ベットは、メダル投入口２２にメダルを投入することで投入されたメダルを直接ベットできる他、ベットボタン２３を操作することでクレジットされたメダルをベットすることもできる。メダルがベットされるとスタートレバー２４が有効化され、有効化されたスタートレバー２４を操作すると遊技が開始される。遊技が開始されると、内部抽選が実行される。内部抽選では、少なくても１つ役またはハズレが割り当てられた複数の当選エリアのいずれかが決定され、決定された当選エリアに割り当てられた役が当選（当選役）となる。
【００１７】
また、遊技が開始されると、リールが回転を開始する。リールの回転速度が一定速度に到達して定常回転となるとストップボタン２６ａ〜２６ｃの操作が有効化され、有効化されたストップボタン２６ａ〜２６ｃを操作すると操作されたストップボタンに対応するリールを停止させることができる。そして、全てのリールが停止したときに、当選役に対応する図柄組合せが表示されると、この当選役が入賞となり、入賞した当選役に対応する処理（入賞処理）が実行される。
【００１８】
＜キャンセルシュート及び払出口の構成＞
図２に示すように、受け皿２７の背面側には払出口３０が設けられ、払出口３０の背面側にはキャンセルシュート４０（案内通路）が接続されている。受け皿２７は、払出口３０と一体に形成され、前面扉１２（下扉１２ｂ）の前面側に取り付けられる。また、キャンセルシュート４０は、前面扉１２（下扉１２ｂ）の背面側に取り付けられる。
【００１９】
図３に示すように、キャンセルシュート４０は、通路本体４２と払出口３０に接続される接続部４４とを備えている。通路本体４２は、上下方向に長く形成され、上面には、セレクタ装置からのメダルが投入される上面入口４２ａが設けられ、背面には、ホッパ装置１４からのメダルが投入される背面入口４２ｂ（図４参照）が設けられている。また、通路本体４２の前面、かつ、上面入口４２ａ及び背面入口４２ｂよりも下方には、出口開口４２ｃが設けられている。接続部４４は、出口開口４２ｃと払出口３０との間に配置される接続開口４４ａを備えており、キャンセルシュート４０は、接続部４４（接続開口４４ａ）が払出口３０に接続されている。そして、上面入口４２ａや背面入口４２ｂから通路本体４２に投入されたメダルは、投入されたメダルの自重により出口開口４２ｃに案内され、出口開口４２ｃから接続開口４４ａ及び払出口３０を介して受け皿２７に払い出される。
【００２０】
図４に示すように、キャンセルシュート４０は、前部材４０ａと後部材４０ｂとの２つの部材を前後から組み合わせることにより構成される。そして、本実施形態では、前部材４０ａと後部材４０ｂとが組み合わされることにより、通路本体４２及び上面入口４２ａが形成される（前部材４０ａと後部材４０ｂとが協働して通路本体４２及び上面入口４２ａを構成する）。また、本実施形態では、後部材４０ｂに背面入口４２ｂが形成され、後部材４０ｂの前面側下端部が出口開口４２ｃとして機能する。さらに、本実施形態では、前部材４０ａに接続部４４（接続開口４４ａ）が形成され、これが払出口３０に接続されている。つまり、後部材４０ｂの出口開口４２ｃ（キャンセルシュート４０の通路本体４２）に対して直に払出口３０に接続するのではなく、接続部４４（接続開口４４ａ）を介して接続している。このように、本実施形態では、出口開口４２ｃ（通路本体４２）と払出口３０との間に、接続部４４（接続開口４４ａ）が挟まれている。
【００２１】
図５に示すように、払出口３０とキャンセルシュート４０との境界部分において、払出口３０の内面のうち下側の内面である払出口下内面３０Ｄは、キャンセルシュート４０の内面のうち下側の内面であるキャンセルシュート下内面４０Ｄ（案内通路下内面）よりも下方に設けられている。ここで、本実施形態では、キャンセルシュート４０は、接続開口４４ａが払出口３０に接続されている。このため、キャンセルシュート下内面４０Ｄは、本実施形態においては、接続開口４４ａの内面のうちの下側の内面である。このように、払出口３０とキャンセルシュート４０との境界部分において、払出口下内面３０Ｄが、キャンセルシュート下内面４０Ｄよりも下方に設けられていることで、払出口３０とキャンセルシュート４０との境界部分には、メダルの払出経路を下方に拡大する段差部（以下、第１段差部Ｇ１）が形成されている。そして、このような第１段差部Ｇ１を設けることで、メダルが引っ掛かるといった問題を防止でき、メダルのスムーズな払い出しが可能となる。
【００２２】
また、払出口３０とキャンセルシュート４０との境界部分において、払出口３０の内面のうち右側（スロットマシン１０に向かって右側）の内面である払出口右内面３０Ｒは、キャンセルシュート４０の内面のうち右側（スロットマシン１０に向かって右側）の内面であるキャンセルシュート右内面４０Ｒ（案内通路右内面）よりも右方に設けられている。同様に、払出口３０とキャンセルシュート４０との境界部分において、払出口３０の内面のうち左側（スロットマシン１０に向かって左側）の内面である払出口左内面３０Ｌは、キャンセルシュート４０の内面のうち左側（スロットマシン１０に向かって左側）の内面であるキャンセルシュート左内面４０Ｌ（案内通路左内面）よりも左方に設けられている。
【００２３】
ここで、本実施形態では、キャンセルシュート４０は、接続開口４４ａが払出口３０に接続されている。このため、キャンセルシュート右内面４０Ｒは、本実施形態においては、接続開口４４ａの内面のうちの右側の内面である。また、キャンセルシュート左内面４０Ｌは、本実施形態においては、接続開口４４ａの内面のうちの左側の内面である。
【００２４】
このように、払出口３０とキャンセルシュート４０との境界部分において、払出口右内面３０Ｒが、キャンセルシュート右内面４０Ｒよりも右方に設けられ、また、払出口左内面３０Ｌが、キャンセルシュート左内面４０Ｌよりも左方に設けられていることで、払出口３０とキャンセルシュート４０との境界部分には、メダルの払出経路を左右に拡大する段差部（以下、第２段差部Ｇ２）が形成されている。そして、このような第２段差部Ｇ２を設けることで、メダルが引っ掛かるといった問題を防止でき、メダルのスムーズな払い出しが可能となる。
【００２５】
さらに、本実施形態では、接続開口４４ａ（接続部４４）と出口開口４２ｃ（通路本体４２）との境界部分において、接続開口４４ａの内面のうち下側の内面（本実施形態では、キャンセルシュート下内面４０Ｄ）が、出口開口４２ｃの内面のうち下側の内面である出口開口下内面４２Ｄ（通路本体下内面）よりも下方に設けられている。これにより、接続開口４４ａと出口開口４２ｃとの境界部分には、メダルの払出経路を下方に拡大する段差部（以下、第３段差部Ｇ３）が形成されている。そして、このような第３段差部Ｇ３を設けることで、メダルが引っ掛かるといった問題を防止でき、メダルのスムーズな払い出しが可能となる。
【００２６】
また、本実施形態では、接続開口４４ａ（接続部４４）と出口開口４２ｃ（通路本体４２）との境界部分において、接続開口４４ａの内面のうち右側の内面（本実施形態では、キャンセルシュート右内面４０Ｒ）は、出口開口４２ｃの内面のうち右側の内面である出口開口右内面４２Ｒ（通路本体右内面）よりも右方に設けられている。同様に、接続開口４４ａと出口開口４２ｃとの境界部分において、接続開口４４ａの内面のうち左側の内面（本実施形態では、キャンセルシュート左内面４０Ｌ）は、出口開口４２ｃの内面のうち左側の内面である出口開口左内面４２Ｌ（通路本体左内面）よりも左方に設けられている。これにより、接続開口４４ａと出口開口４２ｃとの境界部分には、メダルの払出経路を左右に拡大する段差部（以下、第４段差部Ｇ４）が形成されている。そして、このような第４段差部Ｇ４を設けることで、メダルが引っ掛かるといった問題を防止でき、メダルのスムーズな払い出しが可能となる。
【００２７】
さらに、本実施形態では、第１段差部Ｇ１の段差の大きさ（高さ）Ｇ１Ｈは、第２段差部Ｇ２の段差の大きさ（幅）Ｇ２Ｗよりも大きく形成されている。同様に、第３段差部Ｇ３の段差の大きさ（高さ）Ｇ３Ｈは、第４段差部Ｇ４の段差の大きさ（幅）Ｇ４Ｗよりも大きく形成されている。前述のように、メダルは、自重により受け皿２７に払い出される。このため、Ｇ１ＨをＧ２Ｗよりも大きくしたり、Ｇ３ＨをＧ４Ｗよりも大きくすることで、メダルの重さを効率よく利用してメダルのスムーズな払い出しが可能となる。また、Ｇ１ＨをＧ２Ｗよりも大きくしたり、Ｇ３ＨをＧ４Ｗよりも大きくすることで、受け皿２７に払い出されたメダルが、払出口３０からキャンセルシュート４０へ向けて逆流するといったことを防止できる。さらに、本実施形態では、Ｇ２ＷをＧ１Ｈよりも小さくしたり、Ｇ４ＷをＧ３Ｈよりも小さくすることで、メダルが引っ掛かるといった問題を防止しながら、可能な限りキャンセルシュート４０の幅を狭めないようにすることが可能である。
【００２８】
なお、Ｇ１ＨとＧ３Ｈの具体的な値（大きさ）については、自由に設定できるが、Ｇ１ＨがＧ３Ｈよりも小さいことが好ましく、本実施形態では、Ｇ１ＨをＧ３Ｈの１／２程度の大きさとしている。また、Ｇ２ＷとＧ４Ｗの大小関係については、自由に設定できるが、Ｇ２ＷがＧ４Ｗよりも小さいことが好ましく、本実施形態では、Ｇ２ＷをＧ４Ｗの１／２程度の大きさとしている。
【００２９】
また、上記実施形態では、前部材４０ａに接続部４４（接続開口４４ａ）が形成され、これが出口開口４２ｃ（通路本体４２）と払出口３０との間に挟まれている例（図４、図５参照）で説明をしたが、図６、図７に示すように、接続部４４（接続開口４４ａ）を廃止して、出口開口４２ｃ（通路本体４２）を払出口３０に直に接続してもよい。図６、図７の例では、図４、図５の例と比較して、接続部４４（接続開口４４ａ）して、代わりに接続部４４（接続開口４４ａ）の厚みの分だけ払出口３０の後端部を後方に延長している。こうすることで、接続部４４（接続開口４４ａ）を介さずに、出口開口４２ｃ（通路本体４２）と払出口３０とを接続している。なお、図６、図７では、前述した実施形態（図４、図５の例）と同様の部材については、同様の符号を付して説明を省略している。
【００３０】
この図６、図７の例では、図４、図５の例と同様に、払出口３０とキャンセルシュート４０との境界部分において、払出口下内面３０Ｄが、キャンセルシュート下内面４０Ｄよりも下方に設けられている。ただし、図４、図５の例では、接続開口４４ａが払出口３０に接続されているのに対し、図６、図７の例では、接続開口４４ａを介さずに出口開口４２ｃが直に払出口３０に接続されている。このため、図４、図５の例では、接続開口４４ａの内面のうちの下側の内面が、キャンセルシュート下内面４０Ｄであるのに対し、図６、図７の例では、出口開口４２ｃの内面のうちの下側の内面が、キャンセルシュート下内面４０Ｄである。
【００３１】
このように、払出口３０とキャンセルシュート４０との境界部分において、払出口下内面３０Ｄが、キャンセルシュート下内面４０Ｄよりも下方に設けられていることで、払出口３０とキャンセルシュート４０との境界部分には、メダルの払出経路を下方に拡大する第１段差部Ｇ１が形成される。そして、第１段差部Ｇ１により、メダルのスムーズな払い出しが可能となる。
【００３２】
また、図６、図７の例では、払出口３０とキャンセルシュート４０との境界部分において、払出口右内面３０Ｒが、キャンセルシュート右内面４０Ｒよりも右方に設けられている。同様に、払出口左内面３０Ｌが、キャンセルシュート左内面４０Ｌよりも左方に設けられている。ただし、図４、図５の例では、接続開口４４ａの内面のうちの右側の内面が、キャンセルシュート右内面４０Ｒであるのに対し、図６、図７の例では、出口開口４２ｃの内面のうちの右側の内面が、キャンセルシュート右内面４０Ｒである。同様に、図４、図５の例では、接続開口４４ａの内面のうちの左側の内面が、キャンセルシュート左内面４０Ｌであるのに対し、図６、図７の例では、出口開口４２ｃの内面のうちの左側の内面が、キャンセルシュート左内面４０Ｌである。
【００３３】
このように、払出口３０とキャンセルシュート４０との境界部分において、払出口右内面３０Ｒが、キャンセルシュート右内面４０Ｒよりも右方に設けられ、また、払出口左内面３０Ｌが、キャンセルシュート左内面４０Ｌよりも左方に設けられていることで、払出口３０とキャンセルシュート４０との境界部分には、メダルの払出経路を左右に拡大する第２段差部Ｇ２が形成される。そして、第２段差部Ｇ２により、メダルのスムーズな払い出しが可能となる。
【００３４】
また、図６、図７の例でも、図４、図５の例と同様に、第１段差部Ｇ１の大きさ（高さ）Ｇ１Ｈが、第２段差部Ｇ２の段差の大きさ（幅）Ｇ２Ｗよりも大きく形成されている。これにより、メダルの重さを効率よく利用してメダルのスムーズな払い出しが可能となる。また、受け皿２７に払い出されたメダルが、払出口３０からキャンセルシュート４０へ向けて逆流するといったことを防止できる。さらに、メダルが引っ掛かるといった問題を防止しながら、可能な限りキャンセルシュート４０の幅を狭めないようにすることが可能である。
【００３５】
なお、図６、図７のように、接続部４４（接続開口４４ａ）を廃止して、出口開口４２ｃ（通路本体４２）を払出口３０に直に接続する場合は、第１段差部Ｇ１の大きさ（高さ）Ｇ１Ｈが、メダルの厚さ１〜２枚程度の値であり、第２段差部Ｇ２の段差の大きさ（幅）Ｇ２Ｗが、メダルの厚さ１枚以下程度の値であることが好ましい。また、払出口３０の奥行き（受け皿２７から出口開口４２ｃ（通路本体４２）までの距離）は、メダルの厚さ１〜１０枚程度の値であることが好ましい。
【００３６】
なお、図４、図５の例、並びに、図６、図７の例では、キャンセルシュート４０を２つの部材を組み合わせて構成する例で説明をしたが、３つ以上の部材を組み合わせてキャンセルシュート４０を構成してもよい。また、例えば、下扉１２ｂの背面カバーの一部を前部材４０ａとして兼用する（下扉１２ｂの背面カバーの一部を前部材４０ａとしても機能させる）など、他の部材の一部を利用するなどしてキャンセルシュート４０を構成してもよい。
【００３７】
なお、本発明の内面には、線状の領域も含まれる。すなわち、薄板に開口を形成した場合、開口の内周（縁）は面積の小さな線状の領域となるが、このような線状の領域も本発明の内面に含まれる。また、本発明の内面には、前述した開口の前端側（薄板の表面側）や後端側（薄板の裏面側）の角部（薄板の板面と開口との境界の鋭利な部分）を面取りすることにより形成された断面が蒲鉾型の曲面や、上下方向や前後方向、左右方向などに傾斜した傾斜面も含まれる。もちろん、本発明の内面には、前述した以外の各種形状の面（屈曲面、湾曲面、微細な凹凸が形成された凹凸面など）も含まれる。
【００３８】
＜受け皿の底面の傾斜＞
図８に示すように、本実施形態では、受け皿２７の底面２７ａを前面側に傾けているが、本発明はこれに限定されない。図９に示す受け皿５０のように、底面５０ａが背面側に傾いていてもよい。もちろん、受け皿の底面が水平であってもよい。また、受け皿の底面は、平面である必要はなく、一部または全部が湾曲するなどした曲面であってもよい。
【００３９】
＜前面扉の下面と収納箱の下面との間の隙間＞
図１０、及び、図１０において２点鎖線で囲んだ領域を拡大した図１１に示すように、前面扉１２（下扉１２ｂ）の下面６０は、収納箱１１の下面６２よりも高い位置に配置され、かつ、下面６０と下面６２との高さの差は、メダル（図１０、１１において符号Ｍを付す）の厚みＴ以上であることが好ましく、本実施形態でもそのようにしている。より具体的には、本実施形態では、下面６０が水平ではなく勾配があり、下面６０と下面６２との高さの差が下面６０の後端側へ向かうほど小さくなっている。すなわち、下面６０の後端における下面６０と下面６２との高さの差が、下面６０と下面６２との高さの差の最小値（以下、Ｇｍｉｎ）となっている。そして、本実施形態では、この最小値ＧｍｉｎをメダルＭの厚みＴ以上としている。
【００４０】
こうすることで、水平な設置面６４にスロットマシン１０を設置した場合に、下面６２と設置面６４との間にメダルＭの厚みＴ以上の隙間ができる。これにより、例えば、前面扉１２（下扉１２ｂ）を開放してメンテナンスなどを行った場合に、収納箱１１の内部からこぼれるなどして設置面６４に、メダルＭが存在していても、このメダルＭが前面扉１２（下扉１２ｂ）と収納箱１１との間に挟まって前面扉１２（下扉１２ｂ）が閉められなくなるといった問題を防止できる。なお、製造や組み立ての精度などの要因から、下面６０と下面６２との高さの差（最小値Ｇｍｉｎ）には製品毎に誤差が生じるが、このような誤差を考慮し、誤差が存在していても高さの差（最小値Ｇｍｉｎ）がメダルＭの厚みＴ以上となるように構成する（設計や取り付け位置の調整などを行う）ことが好ましい。また、高さの差（最小値Ｇｍｉｎ）は、前述のようにＴ（メダルＭの１枚分の厚み）以上であることに加えて、２Ｔ（メダルＭの２枚分の厚み）以下であることがより好ましい。
【００４１】
＜スライドレールとストッパの構造＞
図１２に示すように、収納箱１１の底面には板金７０が設けられ、この板金７０上にホッパ装置１４が配置されている。図１３に示すように、板金７０には、左右で一対のスライドレール７２ａ、７２ｂが設けられており、スライドレール７２ａには前後に長い溝部７４ａが、スライドレール７２ｂには、前後に長い溝部７４ｂが形成されている。また、ホッパ装置１４の底部には、ホッパ装置１４の側方に突出するように、左右で一対の係合突起７６ａ、７６ｂが設けられている。ホッパ装置１４は、係合突起７６ａが溝部７４ａに、係合突起７６ｂが溝部７４ｂに係合されることによって、前後にスライド自在に設けられ、手前側に引き出すことにより収納箱１１から取り外され、奥側に押し込むことにより収納箱１１に収納される。
【００４２】
スライドレール７２ａ、７２ｂの間には板金７０を切り欠くことによって形成された切り欠き部７７が設けられており、切り欠き部７７から収納箱１１の底面が露呈している。板金７０の厚みＳ（図１５参照）は、メダルＭの厚みＴと同等またはメダルＭの厚みＴ以上（図１５参照）に形成されている。こうすることで、収納箱１１内にメダルが落下してもこのメダルが切り欠き部７７に落ち込むことでホッパ装置１４の着脱が阻害されることがない。
【００４３】
図１３、図１４に示すように、スライドレール７２ａには、溝部７４ａの後端部にストッパ７８ａが設けられている。ストッパ７８ａは、溝部７４ａの底８０ａから反対側の溝部７４ｂへ向けて突出するように形成されており、ホッパ装置１４は、係合突起７６ａがストッパ７８ａに当接することで後側への移動が阻止されて位置決めされる。
【００４４】
また、図１４に示すように、ストッパ７８ａは、溝部７４ａの底８０ａからの突出量Ｌａ（溝部７４ａの底８０ａから先端（溝部７４ｂ側の端部）までの距離）が、メダル（図１４において、符号Ｍを付す）の半径Ｒよりも小さく形成されている。こうすることで、例えば、ホッパ装置１４を取り外して再収納する過程で、溝部７４ａ内にメダルＭが侵入したなどしても、このメダルＭによりホッパ装置１４の収納が阻害されるといったことがない。つまり、溝部７４ａ内に侵入したメダルＭは、ホッパ装置１４を収納する過程で、ホッパ装置１４（係合突起７６ａ）の後端部に押圧されてストッパ７８ａへ向けて移動した後、ストッパ７８により溝部７４ａから押し出される。
【００４５】
同様に、スライドレール７２ｂにも溝部７４ｂの後端部にストッパ７８ｂが設けられており（図１３参照）、ホッパ装置１４は、係合突起７６ｂがストッパ７８ｂに当接することで後側への移動が阻止されて位置決めされる。また、ストッパ７８ｂは、溝部７４ｂの底からの突出量が、メダルＭの半径Ｒよりも小さく形成されている。これにより、溝部７４ｂ内にメダルＭが侵入してもホッパ装置１４の収納が阻害されることがない。
【００４６】
なお、図１４において、本実施形態では、溝部７４ａとストッパ７８ａとの間の距離ＬｘをメダルＭの半径Ｒと同等程度としているが、距離Ｌｘは、半径Ｒ以下であってもよいし、半径Ｒ未満であってもよいし、メダルＭの直径２Ｒの１／３以下であってもよい。さらに、距離Ｌｘは「０」であってもよい。同様に、本実施形態では、溝部７４ｂとストッパ７８ｂとの間の距離をメダルＭの半径Ｒと同等程度としているが、この距離Ｌは、半径Ｒ以下であってもよいし、半径Ｒ未満であってもよいし、メダルＭの直径２Ｒの１／３以下であってもよい。さらに、この距離は「０」であってもよい。
【００４７】
また、図１５に示すように、本実施形態では、溝部７４ａの上壁の幅Ｌｕ（底８０ａから先端（溝部７４ｂ側の端部）までの距離）を、メダルＭの半径Ｒ以上としているが、幅Ｌｕは、メダルＭの半径Ｒ以下であってもよいし、さらに、ストッパ７８ａの突出量Ｌａ以下であってもよい。また、本実施形態では、溝部７４ａの下壁の幅Ｌｄ（底８０ａから先端（溝部７４ｂ側の端部）までの距離）を、メダルＭの直径２Ｒ以上としているが、幅Ｌｄは、メダルＭの半径Ｒ以上であればよい。幅Ｌｄが、メダルＭの半径Ｒ以上であれば、溝部７４ａ内にメダルＭが侵入しても、このメダルＭが水平に維持される（メダルＭの片側が溝部７４ａに乗り、反対側が切り欠き部７７に落ち込んでメダルＭが傾くといったことが防止される）。これにより、溝部７４ａ内にメダルＭが侵入しても、ホッパ装置１４を収納する過程でこのメダルＭをスムーズに溝部７４ａから押し出すことができる。
【００４８】
同様に、本実施形態では、溝部７４ｂの上壁の幅を、メダルＭの半径Ｒ以上としているが、溝部７４ｂの上壁の幅は、メダルＭの半径Ｒ以下であってもよいし、さらに、ストッパ７８ｂの突出量（溝部７４ｂの底からの突出量））以下であってもよい。また、溝部７４ｂの下壁の幅を、メダルＭの直径２Ｒ以上としているが、溝部７４ｂの下壁の幅は、メダルＭの半径Ｒ以上であればよい。こうすることで、溝部７４ｂ内にメダルＭが侵入しても、このメダルＭが水平に維持されるので、ホッパ装置１４を収納する過程でこのメダルＭをスムーズに溝部７４ｂから押し出すことができる。
【００４９】
なお、上記実施形態では、収納箱１１の底面に板金７０を配置する例で説明をしたが、板金７０に代えて、例えば、樹脂製の板を収納箱１１の底面に配置してもよい。この場合、樹脂製の板の強度を向上させるために、例えば、前後に長いスリット状の溝や突起などにより樹脂製の板を補強してもよい。もちろん、収納箱１１の底面に直接スライドレール７２ａ、７２ｂを取り付けてもよい。
【００５０】
また、上記実施形態では、スライドレールの断面がクランク形状であり、溝部の上壁がスライドレールから構成され、溝部の下壁が板金から構成される例で説明をしたが、本発明はこれに限定されない。例えば、断面がコ字形状のスライドレールを、開口部を向かい合わせた状態で左右に間隔を空けて配置してもよい。この場合、溝部の上壁及び下壁の両方がスライドレールから構成される。
【００５１】
さらに、上記実施形態では、ストッパをスライドレールと一体に形成する例で説明をしたが、ストッパをスライドレールとは別体に設け、ストッパとスライドレールとを個別に板金などに固定する構成としてもよい。
【００５２】
なお、上記実施形態において、メダルは、φ２５のメダル、具体的には、直径が約２５．０ｍｍ、厚みが約１．６ｍｍ、のメダルである。しかし、メダルとして、φ３０のメダル、具体的には、直径が約３０．３ｍｍ、厚みが約１．７ｍｍ、のメダルを用いてもよい。
【符号の説明】
【００５３】
１０  スロットマシン（遊技機）
１１  収納箱（遊技機本体）
１２  前面扉（遊技機本体）
１２ａ  上扉
１２ｂ  下扉
１４  ホッパ装置
１５  液晶ディスプレイ
１６  透明窓
２２  メダル投入口
２３  ベットボタン
２４  スタートレバー
２６ａ〜２６ｃ  ストップボタン
２７、５０  受け皿
２７ａ、５０ａ  底面（受け皿の底面）
２８  精算ボタン
３０  払出口
３０Ｄ  払出口下内面
３０Ｒ  払出口右内面
３０Ｌ  払出口左内面
４０  キャンセルシュート（案内通路）
４０ａ  前部材
４０ｂ  後部材
４０Ｄ  キャンセルシュート下内面（案内通路下内面）
４０Ｒ  キャンセルシュート右内面（案内通路右内面）
４０Ｌ  キャンセルシュート左内面（案内通路左内面）
４２  通路本体
４２ａ  上面入口
４２ｂ  背面入口
４２ｃ  出口開口
４２Ｄ  出口開口下内面（通路本体下内面）
４２Ｒ  出口開口右内面（通路本体右内面）
４２Ｌ  出口開口左内面（通路本体左内面）
４４  接続部
４４ａ  接続開口
Ｇ１  第１段差部
Ｇ１Ｈ  第１段差部の段差の高さ
Ｇ２  第２段差部
Ｇ２Ｗ  第２段差部の段差の幅
Ｇ３  第３段差部
Ｇ３Ｈ  第３段差部の段差の高さ
Ｇ４  第４段差部
Ｇ４Ｗ  第４段差部の段差の幅
６０  下面（前面扉（下扉）の下面）
６２  下面（収納箱の下面）
６４  設置面
Ｇｍｉｎ  前面扉（下扉）の下面と収納箱の下面との高さの差の最小値
Ｍ  メダル
Ｔ  メダルの厚み
７０  板金
７２ａ、７２ｂ  スライドレール
７４ａ、７４ｂ  溝部
７６ａ、７６ｂ  係合突起
７７  切り欠き部
７８ａ、７８ｂ  ストッパ
８０ａ  底（溝部７４ａの底）
Ｌａ  ストッパの突出量
Ｌｘ  溝部７４ａとストッパ７８ａとの間の距離
Ｒ  メダルの半径
Ｌｕ  溝部７４ａの上壁の幅
Ｌｄ  溝部７４ａの下壁の幅
Ｓ  板金の厚み
【要約】
【課題】メダルのスムーズな払い出しが可能な遊技機を提供する。
【解決手段】スロットマシン１０は、キャンセルシュート４０に投入されたメダルを、払出口３０を介して受け皿２７に払い出す。払出口３０とキャンセルシュート４０との境界部分には、払出口下内面３０Ｄがキャンセルシュート下内面４０Ｄよりも下方に設けられることにより、メダルの払出経路を下方に拡大する第１段差部Ｇ１が形成されている。また、払出口３０とキャンセルシュート４０との境界部分には、払出口右内面３０Ｒがキャンセルシュート右内面４０Ｒよりも右方に設けられ、さらに、払出口左内面３０Ｌが、キャンセルシュート左内面４０Ｌよりも左方に設けられることにより、メダルの払出経路を左右に拡大する第２段差部Ｇ２が形成されている。
【選択図】図７【図１】
0006821221.tif 000002
【図２】
0006821221.tif 000003
【図３】
0006821221.tif 000004
【図４】
0006821221.tif 000005
【図５】
0006821221.tif 000006
【図６】
0006821221.tif 000007
【図７】
0006821221.tif 000008
【図８】
0006821221.tif 000009
【図９】
0006821221.tif 000010
【図１０】
0006821221.tif 000011
【図１１】
0006821221.tif 000012
【図１２】
0006821221.tif 000013
【図１３】
0006821221.tif 000014
【図１４】
0006821221.tif 000015
【図１５】
0006821221.tif 000016